(57)【要約】【課題】太陽電池パネルが安定して支持されるとともに、環境に配慮したリサイクル可能な材料でかつ単純な構造の水処理槽の太陽光発電覆蓋を提供するものである。【解決手段】水処理槽の上部開口を上方から覆う太陽光発電モジュールを備える太陽光発電覆蓋１であって、断面がロの字形又は溝形形状のアルミニウム製フレーム枠２と、このフレーム枠２の上面に装着された太陽光発電モジュール３とを備えてなる。【選択図】        図１
2004319702.tif 000002
【特許請求の範囲】
【請求項１】
水処理槽の上部開口を上方から覆う太陽光発電モジュールを備える太陽光発電覆蓋であって、断面がロの字形又は溝形形状のアルミニウム製フレーム枠と、このフレーム枠の上面に装着された太陽光発電モジュールとを備えてなる水処理槽の太陽光発電覆蓋。
【請求項２】
太陽光発電モジュールが、太陽電池セルの表裏面にガラスを備える請求項１に記載の水処理槽の太陽光発電覆蓋。
【請求項３】
太陽光発電モジュールの下面に、アルミニウム製フレーム枠に固定してアルミニウム製ハニカムパネルを設けてなる請求項１又は２に記載の水処理槽の太陽光発電覆蓋。
【請求項４】
請求項１〜３の何れかの水処理槽の太陽光発電覆蓋の複数枚を水処理槽の上方を覆うように設置され、少なくとも１つの太陽光発電覆蓋が水処理槽上で移動可能に設置されてなることを特徴とする水処理槽の太陽光発電覆蓋の設置構造。
【請求項５】
請求項４に記載の水処理槽の太陽光発電覆蓋の設置構造において、移動可能な太陽光発電覆蓋が、隣り合う太陽光発電覆蓋の内側又は外側に積層状に収納可能な大きさに形成されてなる水処理槽の太陽光発電覆蓋の設置構造。
【発明の詳細な説明】
【０００１】
【発明の属する技術分野】
本発明は、水処理槽の太陽光発電覆蓋及びその設置構造に関し、詳細には上水処理場や下水処理場（以下水処理場という）における水処理槽の上方に設置して用いられる太陽光発電覆蓋及びその設置構造に関するものである。
【０００２】
【従来の技術】
水処理場は、沈殿槽、濾過槽などの水処理槽を備え、そこでは大量の水が処理されている。そのため水処理槽の容積を大きく、また数も多くする必要があり、それに伴い水処理場は広大な敷地を有し、また日射条件も比較的良好である。
【０００３】
上記のような水処理場の環境を利用して太陽光発電システムを構築することは、例えば特開２００２−４３６０９号公報（特許文献１）などに提案されているように公知である。
【０００４】
特許文献１に提案のものは、水処理施設の上方を覆う可動式の覆蓋の上面に凹部を形成し、その凹部に太陽電池パネルを嵌め込んだ形式の太陽光発電装置とするものである。そして、この提案の太陽光発電装置では、太陽電池パネルが覆蓋の上面に取り付けられるので、異物の投入防止や藻類の発生防止、防臭等の目的で設置される覆蓋の上面を有効活用することができるようになるだけでなく、それまでの太陽光発電装置のような水処理施設の上方に太陽電池パネルを設置するための大規模な工事が不要になるとされている。
【０００５】
【特許文献１】
特開２００２−４３６０９号公報（特許請求の範囲、段落［０００６］、［０００７］）
【０００６】
【発明が解決しようとする課題】
ところで、上記提案の太陽光発電装置では、覆蓋の上部に太陽電池パネルを嵌め込むための凹部を形成しており、この凹部を形成するための加工が必要となり、既存の覆蓋よりもコスト高になることが懸念される。その上、このような嵌め込み用の凹部を形成するためには、特許文献１の実施例に記載されているように樹脂（ＦＲＰなど）に限らざるを得ない。また、樹脂フレームをアーチ状に形成し、そこに凹部を形成して太陽電池パネルを嵌めこんだ場合、太陽電池パネルを安定して支持することが難しく、清掃などで作業者が乗った場合に破損が懸念される。また更に、樹脂は廃棄する際にリサイクルがし難く環境面で問題が有る。
【０００７】
本発明は、上記の問題点を解消するためになしたものであって、その目的は、太陽電池パネルが安定して支持されるとともに、環境に配慮したリサイクル可能な材料でかつ単純な構造の水処理槽の太陽光発電覆蓋及びその設置構造を提供するものである。
【０００８】
【課題を解決するための手段】
上記の目的を達成するために、本発明（請求項１）に係る水処理槽の太陽光発電覆蓋は、水処理槽の上部開口を上方から覆う太陽光発電モジュールを備える太陽光発電覆蓋であって、断面がロの字形又は溝形形状のアルミニウム製フレーム枠と、このフレーム枠の上面に装着された太陽光発電モジュールとを備えてなるものである。
【０００９】
上記構成では、断面がロの字形又は溝形形状のアルミニウム製フレーム枠で太陽光発電モジュール（パネル）の外周を支持する構造となるため、構造上、最適な部材配置を行え、軽量化が可能であるとともに太陽光発電モジュールを歪ませることなく支持できるので、作業者がフレーム枠や太陽光発電モジュールの上に乗って清掃あるいは槽内の点検をすることができる。また、太陽光発電モジュールが覆蓋を兼ねるため、特許文献１のように太陽光発電モジュールの下に覆蓋を二重に設ける必要が無く、特に透光性を有する太陽光発電モジュールを用いることで槽内の点検をしやすくできる。また、アルミニウム製フレーム枠は廃棄の際にリサイクルが可能であり、また太陽光発電モジュールもリサイクル可能であるため、環境面で優れている。
【００１０】
そして、上記水処理槽の太陽光発電覆蓋においては、太陽光発電モジュールは、太陽電池セルの表裏面にガラスを備えるものが好ましい（請求項２）。この場合には、上記の作用効果に加えて、水処理槽内で腐食性のガスが発生するような場合には電池セルの劣化を防ぐことができる。
【００１１】
また、上記水処理槽の太陽光発電覆蓋においては、太陽光発電モジュールの下面に、アルミニウム製フレーム枠に固定してアルミニウム製ハニカムパネルを設けることができる（請求項３）。このように構成した場合には、特許文献１と同様にアルミニウム製ハニカムパネルが覆蓋となるため太陽光発電モジュールを透して槽内を点検することはできないが、上記のその他の作用効果に加えて、特許文献１の樹脂製覆蓋と比較して、比剛性、比強度が高く、例えば「下水道施設標準図（詳細）  土木・建築・建設設備編  平成１２年度版」（編著  日本下水道事業団  発行  財団法人  下水道業務管理センター）等において規定されている、耐荷重規制３６０ｋｇ／ｍ２が適用された場合、樹脂製よりも軽量化が図れるとともに、覆蓋全体の厚さを薄く形成できる。
【００１２】
また、上記の目的を達成するために、本発明（請求項４）に係る水処理槽の太陽光発電覆蓋の設置構造は、上記請求項１〜３の何れかの水処理槽の太陽光発電覆蓋の複数枚を水処理槽の上方を覆うように設置され、少なくとも１つの太陽光発電覆蓋が水処理槽上で移動可能に設置されてなるものである。
【００１３】
上記構成では、水処理槽を覆った複数枚の太陽光発電覆蓋の内の少なくとも１つの太陽光発電覆蓋が水処理槽上で移動可能に設置されているので、移動して太陽光発電覆蓋を開放し、その開口部より槽内の点検や槽内機器の出し入れを行うことができる。
【００１４】
そして、上記水処理槽の太陽光発電覆蓋の設置構造においては、移動可能な太陽光発電覆蓋は、隣合う太陽光発電覆蓋の内側又は外側に積層状に収納可能な大きさに形成されてあることが好ましい（請求項５）。このように構成することで、移動可能な太陽光発電覆蓋の収納を少ないスペースで行うことができる。
【００１５】
【発明の実施の形態】
以下、本発明の実施形態を図面に基づいて説明する。図１は、本発明に係る水処理槽の太陽光発電覆蓋の説明図であって、ａは上面図、ｂはａのＡ−Ａ断面図図２は、図１ｂのＢ部拡大断面図である。
【００１６】
太陽光発電覆蓋１は、アルミニウム製フレーム枠２と太陽光発電モジュール３を備えて構成されている。
【００１７】
アルミニウム製フレーム枠２は、断面溝型形状のアルミニウム押出し材４を所定長さに切断し、溶接により長方形に形成したものである。なお、アルミニウム押出し材４は、断面が矩形（ロの字形）の角パイプであってもよい。
【００１８】
太陽光発電モジュール３は、板ガラス５と６の間に発電セル７を備える構造のものである。なお、透光性が不要で腐食性ガスが発生する環境下でない場合には、下側の板ガラス６に代えて例えばフッ素樹脂板を用いる事もできる。
【００１９】
太陽光発電覆蓋１の組立ては、太陽光発電モジュール３をアルミニウム製フレーム枠２の上に乗せ置き、その外周に太陽光発電モジュール３と略同厚さのライナー（アルミニウム帯板）８を設け、そのライナー８と太陽光発電モジュール３の外周上にアルミニウム製の押さえ板９を設けるとともに、ライナー８と押さえ板９をタッピングビス１０でフレーム枠２に止めて行われる。
【００２０】
上記構成の太陽光発電覆蓋１によれば、フレーム枠２が軽量で強度を有するように構成でき、そのフレーム枠２に太陽光発電モジュール３を歪ませることなく支持できる。これにより、作業者がフレーム枠２や太陽光発電モジュール３の上に乗って清掃あるいは槽内の点検をすることができる。また、太陽光発電モジュール３が覆蓋を兼ねており、特に透光性を有する太陽光発電モジュール３を用いることにより槽内の点検が太陽光発電モジュール３を透して行える。
【００２１】
図３は、本発明に係る水処理槽の太陽光発電覆蓋の別の実施形態の断面図、図４は、図３のＣ部拡大断面図である。
【００２２】
本例の太陽光発電覆蓋１１は、アルミニウム製フレーム枠１２、太陽光発電モジュール１３及びアルミニウム製ハニカムパネル１４を備えて構成されている。
【００２３】
アルミニウム製フレーム枠１２は、中空断面のアルミニウム角パイプ１５を所定長さに切断し、溶接により長方形に形成したものである。なお、アルミニウム角パイプ１５に代えて、断面溝型形状のアルミニウム押出し材であってもよい。
【００２４】
太陽光発電モジュール１３は、板ガラス１６とフッ素樹脂板１７の間に発電セル１８を備える構造のものである。なお、下側のフッ素樹脂板１７に代えて板ガラスを用いてもよい。
【００２５】
アルミニウム製ハニカムパネル１４は、アルミニウム帯板１９を規則的に屈曲加工し、その多数を上下方向に貫通する六角形状の孔が形成されるように上下のアルミニウム板２０、２０間に配置し、接合して製作されたパネルであって、上下方向に多数の六角形状の孔（空洞）２１を有する。
【００２６】
太陽光発電覆蓋１１の組立ては、アルミニウム製フレーム枠１２の内側にアルミニウム製ハニカムパネル１４を接着（又はろう付）によって取り付けるとともに、それらアルミニウム製フレーム枠１２とアルミニウム製ハニカムパネル１４の上に太陽光発電モジュール１３を乗せ置き、その外周に太陽光発電モジュール１３と略同厚さのライナー（アルミニウム帯板）２２を設け、そのライナー２２と太陽光発電モジュール１３の外周上にアルミニウム製の押さえ板２３を設けるとともに、ライナー２２と押さえ板２３をタッピングビス１０でフレーム枠１２に止めて行われる。
【００２７】
上記構成の太陽光発電覆蓋１１によれば、フレーム枠１２とハニカムパネル１４の複合構造により、より比剛性、比強度が高くなり、太陽光発電覆蓋１１全体の厚さを薄く形成できる上に、太陽光発電モジュール１３を歪ませることなく支持できる。これにより、作業者がフレーム枠２や太陽光発電モジュール３の上に乗って清掃することができる。
【００２８】
図５は、上記図１に示す太陽光発電覆蓋１を水処理槽の上方に設けた使用状態を示す説明図である。
【００２９】
水処理槽２４の両側の縁の上面には２本のレール２５が付設されている。一方、本例の太陽光発電覆蓋１は、アルミニウム製フレーム枠２がヘの字状に形成され、両側に２面の太陽光発電モジュール３が設けられるとともに、アルミニウム製フレーム枠２の両端には車輪２６が設けられ、前記レール２５上を走行可能に構成されている。
【００３０】
そして、本例では、水処理槽２４の上方に太陽光発電覆蓋１が４台設けられ、内２台ずつが同じ大きさに形成され、幅狭の太陽光発電覆蓋１が幅広の太陽光発電覆蓋１の内側に収納可能に構成されている。従って、水処理槽２４内を点検する場合は、太陽光発電覆蓋１の上から透して見てもよいし、あるいは幅狭の太陽光発電覆蓋１を幅広の太陽光発電覆蓋１の内側に収納してその開口より覗いて見ることもできる。また、太陽光発電モジュール３の上面が風雨等で汚れた場合には、太陽光発電覆蓋１の上面に作業者が乗って清掃することができる。
【００３１】
なお、上記使用状態では、水処理槽２５の両側の縁の上面には２本のレール２５を付設し、太陽光発電覆蓋１を４台設け、内２台ずつを収納可能に構成した形態を例に説明したが、本発明はこの例に限定されるものではなく、水処理槽２４の両側の縁の上面に４本のレール２５を付設し、４台全てを１箇所に収納可能なような大きさに形成して収納するようにしてもよいし、水処理槽２４が長ければ更に４台を複数組配設するようにしてもよく、種々組合せた使用状態が想定される。
【００３２】
また、上記使用状態では、太陽光発電覆蓋１に太陽光発電モジュール３を４面設けた場合を例に説明したが、水処理槽２４の幅が広い場合には更に数面増設してもよい。要は、水処理槽２４の幅に応じてフレーム枠２の強度を調整し、そのフレーム枠２に適宜の面数を設けることができる。
【００３３】
また、上記使用状態では、図１に示す形態の太陽光発電覆蓋１を例に説明したが、図３に示す形態の太陽光発電覆蓋１１を同じように水処理槽２４の上方に設けるようにしてもよい。また、この両方の太陽光発電覆蓋１と１１を組合わせて設けるようにしてもよい。
【００３４】
また更に、太陽光発電覆蓋１や太陽光発電覆蓋１１を用いた発電に際しては、太陽光発電モジュール３や１３による発電量をＰＨＳ等の無線通信により遠隔データ収集が可能な構成としてもよい。この場合、広大な水処理槽に発電量計測用配線を張り巡らせる必要がなく、このため、配線敷設、メンテナンス費用が低減できる。
【００３５】
【発明の効果】
以上説明したように、本発明に係る水処理槽の太陽光発電覆蓋によれば、軽量で強度を有するフレーム枠、更にはハニカムパネルにより太陽光発電モジュールを歪ませることなく支持できる。また、これにより、水処理槽の上方に設置した場合には、作業者がフレーム枠や太陽光発電モジュールの上に乗って清掃あるいは槽内の点検をすることができる。また、アルミニウム製フレーム枠は廃棄の際にリサイクルが可能であり、また太陽光発電モジュールもリサイクル可能であるため、環境面で優れている。
【００３６】
また、本発明に係る水処理槽の太陽光発電覆蓋の設置構造によれば、太陽光発電覆蓋が水処理槽上を移動できるので、太陽光発電覆蓋を移動して開放し、その開口部より作業者がフレーム枠や太陽光発電モジュールの上に乗って清掃あるいは槽内の点検をすることができる。
【図面の簡単な説明】
【図１】本発明に係る水処理槽の太陽光発電覆蓋の説明図であって、ａは上面図、ｂはａのＡ−Ａ断面図である。
【図２】図１ｂのＢ部拡大断面図である。
【図３】本発明に係る水処理槽の太陽光発電覆蓋の別の実施形態の断面図である。
【図４】図３のＣ部拡大断面図である。
【図５】図１に示す太陽光発電覆蓋を水処理槽の上方に設けた使用状態を示す説明図である。
【符号の説明】
１：太陽光発電覆蓋      ２：アルミニウム製フレーム枠
３：太陽光発電モジュール                      ４：アルミニウム押出し材
５，６：板ガラス        ７：発電セル            ８：ライナー
９：押さえ板          １０：タッピングビス    １１：太陽光発電覆蓋
１２：アルミニウム製フレーム枠                １３：太陽光発電モジュール
１４：アルミニウム製ハニカムパネル            １５：アルミニウム角パイプ
１６：板ガラス          １７：フッ素樹脂板      １８：発電セル
１９：アルミニウム帯板  ２０：アルミニウム板    ２１：六角形状の孔
２２：ライナー          ２３：押さえ板          ２４：水処理槽
２５：レール            ２６：車輪
【図１】
2004319702.tif 000003
【図２】
2004319702.tif 000004
【図３】
2004319702.tif 000005
【図４】
2004319702.tif 000006
【図５】
2004319702.tif 000007